(57)【要約】【課題】複数のパーソナルコンピュータが接続可能なプリンタにおいて、各ユーザが、排紙トレイに堆積されているプリント済みの記録紙のうち、どの記録紙が自分が出力させたものであるかを、一目で判断することができるようにする。【解決手段】パーソナルコンピュータからプリント指令を受けて最初の頁又は最後の頁をプリントする際に、付箋紙束駆動機構２０が付箋紙束ボックス１３を矢印Ｃ方向に移動させ、記録紙Ｐの先端部又は後端部が付箋紙束ボックス１３の近傍を通過するのに同期させて付箋紙貼り付け部材２１が付箋紙束ボックス１３を記録紙Ｐに押圧することにより、付箋紙５２を記録紙Ｐに貼り付ける。さらに、感光体ドラム（画像形成手段）２が記録紙Ｐに画像を形成する際、プリンタに対してプリント指令を送出したパーソナルコンピュータの識別記号を記録紙Ｐに貼り付けられた付箋紙５２にプリントする。【選択図】図３
2006021449.tif 000002
【特許請求の範囲】
【請求項１】
記録紙を搬送する搬送手段と、この搬送手段によって搬送された記録紙に画像を形成する画像形成手段と、各部を制御する制御手段とを備え、
複数のパーソナルコンピュータとネットワーク接続可能なプリンタにおいて、
記録紙の搬送経路に沿って前記画像形成手段に対して上流側に、記録紙の搬送方向に直交する方向へ移動自在に設けられ、付箋紙束を収容する付箋紙束収容手段と、
この付箋紙束収容手段を前記記録紙の搬送方向に直交する方向に駆動する付箋紙束駆動機構と、
前記搬送手段によって搬送される記録紙の先端を検出する記録紙検出手段と、
この記録紙検出手段によって検出される記録紙の移動に同期させて、前記付箋紙束収容手段を介して付箋紙を記録紙に押圧することにより、付箋紙を記録紙に貼り付ける付箋紙貼り付け手段と、
記録紙に貼り付けられた付箋紙を付箋紙束から分離する付箋紙分離手段とをさらに備え、
プリンタにネットワーク接続されているパーソナルコンピュータからプリント指令を受けて最初の頁又は最後の頁をプリントする際に、
前記付箋紙束駆動機構は、付箋紙束収容手段を前記記録紙の搬送方向に直交する方向に移動させ、
前記付箋紙貼り付け手段は、該最初の頁又は最後の頁をプリントする記録紙の先端部又は後端部が該付箋紙束収容手段の近傍を通過するのに同期させて付箋紙を押圧することにより、付箋紙を記録紙に貼り付け、
前記画像形成手段は、前記最初の頁又は最後の頁をプリントする記録紙に画像を形成する際、該記録紙に貼り付けられた付箋紙に前記プリント指令をプリンタに対して送出したパーソナルコンピュータの識別記号をプリントし、
プリントされた複数の記録紙をプリント指令毎に分別可能としたことを特徴とするプリンタ。
【請求項２】
記録紙を搬送する搬送手段と、この搬送手段によって搬送された記録紙に画像を形成する画像形成手段と、各部を制御する制御手段とを備え、
複数のパーソナルコンピュータが接続可能なプリンタにおいて、
記録紙の搬送経路に沿って設けられ、付箋紙束を収容する付箋紙束収容手段と、
前記搬送手段によって搬送される記録紙の先端を検出する記録紙検出手段と、
この記録紙検出手段によって検出される記録紙の移動に同期させて、前記付箋紙束収容手段を介して付箋紙を記録紙に押圧することにより、付箋紙を記録紙に貼り付ける付箋紙貼り付け手段と、
記録紙に貼り付けられた付箋紙を付箋紙束から分離する付箋紙分離手段とをさらに備え、
前記付箋紙貼り付け手段は、プリンタに接続されているパーソナルコンピュータからプリント指令を受けて最初の頁又は最後の頁をプリントする際に、該最初の頁又は最後の頁をプリントする記録紙が該付箋紙束収容手段の近傍を通過するのに同期させて、付箋紙を押圧して記録紙に貼り付け、
プリントされた複数の記録紙をプリント指令毎に分別可能としたことを特徴とするプリンタ。
【請求項３】
前記付箋紙束収容手段は、記録紙の搬送経路に沿って、記録紙の搬送方向に直交する方向に移動自在とされ、
前記付箋紙束収容手段を前記記録紙の搬送方向に直交する方向に駆動する付箋紙束駆動機構をさらに備え、
プリンタに接続されているパーソナルコンピュータからプリント指令を受けて最初の頁又は最後の頁をプリントする際に、
前記付箋紙束駆動機構は、前記付箋紙束収容手段を前記記録紙の搬送方向に直交する方向に移動させ、
その後、前記付箋紙貼り付け手段は、付箋紙を記録紙に貼り付けることを特徴とする請求項２に記載のプリンタ。
【発明の詳細な説明】
【技術分野】
【０００１】
本発明は、複数のパーソナルコンピュータを接続可能なプリンタに関するものである。
【背景技術】
【０００２】
近年、複数のパーソナルコンピュータとネットワーク接続可能なプリンタが実用化され、普及している。通常、プリンタは排紙トレイを有しており、プリント済みの記録紙はこの排紙トレイに順次排出され、堆積される。ところが、プリンタに複数のパーソナルコンピュータが接続され、複数のユーザからプリント指令を受け付けて、順次プリントを実行した場合には、各ユーザは、排紙トレイに堆積されているプリント済みの記録紙のうち、どの記録紙が自分が出力させたものであるかを、一目で判断することができない。
【０００３】
そこで、プリント指令毎に、白紙又は所定の印字を行った仕切り用の用紙を挿入しながら、排紙トレイに記録紙を堆積するプリンタが知られている（例えば、特許文献１参照）。また、プリント指令毎に、記録紙とは別の合紙を挿入しながら、排紙トレイに記録紙を堆積するプリンタが知られている（例えば、特許文献２参照）。また、プリント指令毎の境目の記録紙に折り目をつけるプリンタが知られている（例えば、特許文献３参照）。
【特許文献１】特開２００２−２９６５８号公報
【特許文献２】特開平４−１３１８６３号公報
【特許文献３】特開昭６１−１２２２５６号公報
【発明の開示】
【発明が解決しようとする課題】
【０００４】
しかしながら、上記特許文献１に示されたプリンタにおいては、排紙トレイに堆積された記録紙が全て同じ態様であり、そのため、どこに仕切り用の用紙が挿入されているのかを一目で判別することができないので、記録紙の仕分けに手間が掛かる。また、仕切り用の用紙に所定の印字を行う場合には、本来のプリント指令に対応するプリントに加えて、仕切り用の用紙に対して余分な印字をしなければならないので、その印字と仕切り用の用紙の搬送に時間が掛かるばかりか、仕切り用の用紙として記録紙を無駄に消費し、省資源の要請に反する。また、上記特許文献２に示されたプリンタにおいては、合紙が挿入されている前後の記録紙がどのユーザによって出力されたものであるかを知ることができないので、ユーザは自分が出力させた記録紙を迅速に探し出すことができない。また、合紙を蓄えておくためのトレイが別途必要とされるので、装置の小型化を図ることができない。さらに、上記特許文献３に示されたプリンタにおいても、折り目がついている記録紙がどのユーザによって出力されたものであるかを知ることができないので、ユーザは自分が出力させた記録紙を迅速に探し出すことができない。また、境目の記録紙に折り目がつくので、成果物（印刷物）の品質が著しく低下する。
【０００５】
本発明は、上記課題を解決するためになされたものであり、複数のユーザからプリント指令を受け付けて、順次プリントを実行する場合においても、各ユーザが、排紙トレイに堆積されているプリント済みの記録紙のうち、どの記録紙が自分が出力させたものであるかを、一目で判断することができ、かつ、低廉なランニングコストで運用でき、成果物の品質低下を招くこともないプリンタを提供することを目的とする。
【課題を解決するための手段】
【０００６】
上記目的を達成するために請求項１の発明は、記録紙を搬送する搬送手段と、この搬送手段によって搬送された記録紙に画像を形成する画像形成手段と、各部を制御する制御手段とを備え、複数のパーソナルコンピュータとネットワーク接続可能なプリンタにおいて、記録紙の搬送経路に沿って画像形成手段に対して上流側に、記録紙の搬送方向に直交する方向へ移動自在に設けられ、付箋紙束を収容する付箋紙束収容手段と、この付箋紙束収容手段を記録紙の搬送方向に直交する方向に駆動する付箋紙束駆動機構と、搬送手段によって搬送される記録紙の先端を検出する記録紙検出手段と、この記録紙検出手段によって検出される記録紙の移動に同期させて、付箋紙束収容手段を介して付箋紙を記録紙に押圧することにより、付箋紙を記録紙に貼り付ける付箋紙貼り付け手段と、記録紙に貼り付けられた付箋紙を付箋紙束から分離する付箋紙分離手段とをさらに備え、プリンタにネットワーク接続されているパーソナルコンピュータからプリント指令を受けて最初の頁又は最後の頁をプリントする際に、付箋紙束駆動機構は、付箋紙束収容手段を記録紙の搬送方向に直交する方向に移動させ、付箋紙貼り付け手段は、該最初の頁又は最後の頁をプリントする記録紙の先端部又は後端部が該付箋紙束収容手段の近傍を通過するのに同期させて付箋紙を押圧することにより、付箋紙を記録紙に貼り付け、画像形成手段は、最初の頁又は最後の頁をプリントする記録紙に画像を形成する際、該記録紙に貼り付けられた付箋紙にプリント指令をプリンタに対して送出したパーソナルコンピュータの識別記号をプリントし、プリントされた複数の記録紙をプリント指令毎に分別可能としたものである。
【０００７】
請求項２の発明は、記録紙を搬送する搬送手段と、この搬送手段によって搬送された記録紙に画像を形成する画像形成手段と、各部を制御する制御手段とを備え、複数のパーソナルコンピュータが接続可能なプリンタにおいて、記録紙の搬送経路に沿って設けられ、付箋紙束を収容する付箋紙束収容手段と、搬送手段によって搬送される記録紙の先端を検出する記録紙検出手段と、この記録紙検出手段によって検出される記録紙の移動に同期させて、付箋紙束収容手段を介して付箋紙を記録紙に押圧することにより、付箋紙を記録紙に貼り付ける付箋紙貼り付け手段と、記録紙に貼り付けられた付箋紙を付箋紙束から分離する付箋紙分離手段とをさらに備え、付箋紙貼り付け手段は、プリンタに接続されているパーソナルコンピュータからプリント指令を受けて最初の頁又は最後の頁をプリントする際に、該最初の頁又は最後の頁をプリントする記録紙が該付箋紙束収容手段の近傍を通過するのに同期させて、付箋紙を押圧して記録紙に貼り付け、プリントされた複数の記録紙をプリント指令毎に分別可能としたものである。
【０００８】
請求項３の発明は、請求項２に記載のプリンタにおいて、付箋紙束収容手段は、記録紙の搬送経路に沿って、記録紙の搬送方向に直交する方向に移動自在とされ、付箋紙束収容手段を記録紙の搬送方向に直交する方向に駆動する付箋紙束駆動機構をさらに備え、プリンタに接続されているパーソナルコンピュータからプリント指令を受けて最初の頁又は最後の頁をプリントする際に、付箋紙束駆動機構は、付箋紙束収容手段を記録紙の搬送方向に直交する方向に移動させ、その後、付箋紙貼り付け手段は、付箋紙を記録紙に貼り付けるものである。
【発明の効果】
【０００９】
請求項１の発明によれば、最初の頁又は最後の頁をプリントする際に、付箋紙を記録紙の先端部又は後端部に貼り付け、さらに、その付箋紙にパーソナルコンピュータの識別記号をプリントするので、ユーザは、どの記録紙が自分が出力させたものであるかを、一目で判断することができ、記録紙の分別を迅速かつ容易に行うことができる。また、ここで用いられる付箋紙は、安価な汎用のものであってもよいので、プリンタのランニングコストを低廉に抑えることができる。また、付箋紙は、不要になれば、記録紙に損傷を与えることもなく容易に剥がすことができるので、成果物の品質低下を招くこともない。さらに、付箋紙は、プリント指令毎に、記録紙の搬送方向に直交する方向、すなわち記録紙の幅方向に移動された後、記録紙に貼り付けられるので、各付箋紙同士が互いに重なり合うことがない。従って、ユーザは全ての付箋紙にプリントされたパーソナルコンピュータの識別記号を一目で視認することができ、記録紙の分別を一層迅速かつ容易に行うことができる。
【００１０】
請求項２の発明によれば、最初の頁又は最後の頁をプリントする際に、付箋紙を記録紙に貼り付けるので、ユーザは、記録紙の分別を迅速かつ容易に行うことができる。また、ここで用いられる付箋紙は、安価な汎用のものであってもよいので、プリンタのランニングコストを低廉に抑えることができる。また、付箋紙は、不要になれば、記録紙に損傷を与えることもなく容易に剥がすことができるので、成果物の品質低下を招くこともない。
【００１１】
請求項３の発明によれば、付箋紙は、プリント指令毎に、記録紙の搬送方向に直交する方向に移動された後、記録紙に貼り付けられるので、各付箋紙同士が互いに重なり合うことがない。従って、ユーザは全ての付箋紙を一目で視認することができ、記録紙の分別を一層迅速かつ容易に行うことができる。
【発明を実施するための最良の形態】
【００１２】
本発明を実施するための最良の実施形態によるプリンタについて図面を参照して説明する。図１は、ネットワーク対応のプリンタ及びそれにネットワーク接続されている複数のパーソナルコンピュータを示している。プリンタ１とパーソナルコンピュータＸ，Ｙ，Ｚとは、ハブ５０を介してＬＡＮケーブル５１を用いて接続されている。プリンタ１によってプリントされた記録紙Ｐは、プリンタ１の上部の排紙トレイ１０に排出され、堆積される。排紙トレイ１０に堆積された記録紙Ｐの先端には、プリント指令毎に、その最初の頁又は最後の頁に、付箋紙５２が貼り付けられている。各付箋紙５２には、プリンタ１にプリント指令を出力したパーソナルコンピュータＸ，Ｙ又はＺの識別記号がプリントされている。また、各付箋紙５２は、互いに重なり合わないように、記録紙Ｐの幅方向にずらして貼り付けられている。
【００１３】
図２は、プリンタ１の一構成例を示している。プリンタ１は、いわゆるレーザ方式のプリンタであり、表面に感光体が塗布されている感光体ドラム（画像形成手段）２と、感光体ドラム２の周囲に回転方向Ａの上流側から下流側に向って順次配置されているクリーナ３、帯電器４、レーザ露光装置５、現像ブラシ６、及び転写ローラ７と、転写ローラ７に対して記録紙Ｐの搬送方向Ｂの下流側に配置されている定着ローラ８と、記録紙Ｐが装填される給紙トレイ９と、プリント済みの記録紙Ｐが堆積される排紙トレイ１０と、記録紙Ｐを搬送するための記録紙搬送機構（搬送手段）１１と、記録紙搬送機構１１によって搬送される記録紙Ｐの先端を検出する記録紙センサ（記録紙検出手段）１２と、付箋紙束５３が装填される付箋紙束ボックス（付箋紙束収容手段）１３と、プリンタ１の全体の制御を司るＣＰＵ（制御手段）１４等によって構成されている。
【００１４】
クリーナ３は、感光体ドラム２の表面に付着している１行程（１回転）前のトナー及び紙粉を除去し、ドラム表面を清掃する。帯電器４は、クリーナ３によって清掃された感光体ドラム２の表面を均一に帯電させる。レーザ露光装置５は、帯電器４によって帯電された感光体ドラム２の表面にレーザ光Ｌを走査させながら照射して潜像を形成する。現像ブラシ６は、感光体ドラム２の表面のうち潜像が形成された部分にトナーを付着させてトナー像を形成する。転写ローラ７は、感光体ドラム２の表面に対向するように設けられ、記録紙Ｐを感光体ドラム２の表面に押圧しながら記録紙Ｐの表面を帯電させて、感光体ドラム２の表面に形成されたトナー像を記録紙Ｐの上に転写させる。転写ローラ７には、記録紙Ｐの表面を帯電させるための転写電圧が電圧発生器（図示せず）より印加される。定着ローラ８は、相対向する位置に配置されたローラ１５と共に記録紙Ｐを挟み込んで、記録紙Ｐに熱と圧力を加えてトナーを定着させる。トナー定着のための熱は、定着ローラ８に内蔵されているヒータ（例えば、ハロゲンランプ等）から供給される。ヒータには、電圧発生器によって発生された定着電圧が印加される。
【００１５】
給紙トレイ９には、プリント前の記録紙Ｐが装填される。記録紙搬送機構１４は、搬送ローラ１６，１７，１８，１９等を有している。搬送ローラ１６は、給紙トレイ９に対向配置され、給紙トレイ９に装填された記録紙Ｐのうち最上のものを、搬送ローラ１７に送り出す。搬送ローラ１７は、搬送ローラ１６によって送り出された記録紙Ｐを搬送ローラ１８に送り出す。搬送ローラ１８，１９は、搬送ローラ１７と転写ローラ７との間で互いに対向するように配置され、搬送ローラ１７によって送り出された記録紙Ｐを転写位置まで搬送する。
【００１６】
図３は、付箋紙束ボックス１３及びその周辺部の構成を示している。同図に示されるように、プリンタ１は、付箋紙束ボックス１３を記録紙Ｐの搬送方向Ｂ１に直交する矢印Ｃ方向に駆動する付箋紙束駆動機構２０と、付箋紙束ボックス１３を記録紙Ｐの側に押圧することにより、付箋紙５２を記録紙Ｐに貼り付ける付箋紙貼り付け部材（付箋紙貼り付け手段）２１と、記録紙Ｐに貼り付けられた付箋紙５２を付箋紙束５３から分離する付箋紙分離部材（付箋紙分離手段）２２と、記録紙の搬送経路を挟んで付箋紙束ボックス１３と対向する位置に設けられた押えローラ３０とをさらに有している。なお、付箋紙貼り付け部材２１は、付箋紙ボックス１３と共に矢印Ｃ方向に移動する。
【００１７】
本実施の形態では、付箋紙束５３として市販の安価な汎用品を用いることができ、付箋紙束ボックス１３のサイズもそれに対応するように形成されている。付箋紙束５３は、糊５４が塗布された面が記録紙Ｐに対向するように、かつ糊５４が塗布された部分が記録紙Ｐの搬送方向Ｂ１の上流側に位置するように収容されている。このように付箋紙束５３を収容した場合には、記録紙Ｐの先端に付箋紙５２を貼り付けることができる。
【００１８】
付箋紙束駆動機構２０は、付箋紙束ボックス１３を矢印Ｃ方向に往復移動自在かつ回動自在に軸支する支持軸２３と、付箋紙束ボックス１３に往復移動のための駆動力を伝達するためのプーリ２４，２５と、プーリ２４，２５に掛けられたベルト２６と、プーリ２４，２５を回転駆動するモータ（図示せず）とを有している。ベルト２６の外側には、付箋紙束ボックス１３を挟んで駆動力を伝達するための駆動伝達片２６ａが結合されている。モータがプーリ２４，２５を回転駆動することにより、付箋紙束ボックス１３が矢印Ｃ方向に移動され、記録紙Ｐの幅方向における任意の位置に付箋紙束５３を配置させることができる。
【００１９】
付箋紙束ボックス１３は、その一端側（記録紙Ｐの搬送方向Ｂ１の下流側）において支持軸２３によって軸支されており、支持軸２３を中心として回動自在とされている。付箋紙貼り付け部材２１は、付箋紙束ボックス１３の他端側に配置されている。付箋紙貼り付け部材２１がＣＰＵ１４からの指令を受けて矢印Ｄ方向に移動して付箋紙束ボックス１３を押圧することにより、付箋紙束ボックス１３は支持軸２３を中心として回動し、付箋紙束ボックス１３に収容されている付箋紙５２が記録紙Ｐに貼り付けられる。付箋紙分離部材２２は、付箋紙５２を付箋紙束５３から分離するために、例えば楔型の形状を有しており、ＣＰＵ１４からの指令信号を受け、矢印Ｂ方向に移動する。付箋紙分離部材２２が記録紙Ｐの搬送方向の上流側（矢印Ｂ２方向）に移動することによって、記録紙Ｐに貼り付けられた付箋紙５２は、付箋紙束５３から分離され、記録紙Ｐと共に下流側（矢印Ｂ１方向）に搬送される。そして、付箋紙５２の先端部には、感光体ドラム２によって所定の識別記号がプリントされる。図３においては、記録紙Ｐにプリント指令を出力したパーソナルコンピュータＸを示す記号“Ｘ”がプリントされている。
【００２０】
次に、付箋紙５２を記録紙Ｐに貼り付けて、付箋紙束５３から分離する動作について、図４を参照して説明する。付箋紙束ボックス１３の底部には、板状部材２７を介して付箋紙束５３を付勢するための圧縮コイルばね２８が設けられている。また、付箋紙束ボックス１３の上流側の端部には、圧縮コイルばね２８に付勢された付箋紙束５３が付箋紙束ボックス１３から突出しないように係止するための、係止爪２９が設けられている。図４（ａ）に示すように、記録紙Ｐが搬送されると、記録紙センサ２１が記録紙Ｐの先端を検出し、記録紙Ｐが付箋紙束ボックス１３に接近したことが検知される。この記録紙センサ２１が記録紙Ｐの先端を検出した後、搬送ローラ（図２参照）１８，１９が所定の距離だけ記録紙Ｐを搬送し、記録紙Ｐの先端部が付箋紙束ボックス１３の近傍を通過するとき、図４（ｂ）に示すように、付箋紙貼り付け部材２１は、矢印Ｄ１方向に移動して、付箋紙束ボックス１３を押圧する。これにより、付箋紙５２のうち最も外側の１枚が記録紙Ｐの先端部を挟んで押えローラ３０に押圧され、記録紙Ｐの先端部に貼り付けられる。また、付箋紙分離部材２２がＢ２方向に移動し、その先端が記録紙Ｐに貼り付けられた付箋紙５２と付箋紙束５３との間に侵入する。ここで、付箋紙５２に塗布されている糊５４の接着力は極めて小さいので、付箋紙分離部材２２を付箋紙５２と付箋紙束５３との間に侵入させた状態で押えローラ３０を回転させることにより、図４（ｃ）に示すように、付箋紙５２と付箋紙束５３とが容易に分離される。
【００２１】
以上のように、本実施形態のプリンタ１によれば、最初の頁又は最後の頁をプリントする際に、付箋紙５２を記録紙Ｐに貼り付け、さらに、その付箋紙５２にパーソナルコンピュータＸ，Ｙ又はＺの識別記号をプリントするので、ユーザは、排紙トレイ１０に堆積された記録紙Ｐのうち、どの記録紙Ｐが自分が出力させたものであるかを一目で判断することができ、記録紙Ｐの分別を迅速かつ容易に行うことができる。また、ここで用いられる付箋紙５２は、安価な汎用品であってもよいので、プリンタ１のランニングコストを低廉に抑えることができる。また、付箋紙５２は、不要になれば、記録紙Ｐに損傷を与えることもなく容易に剥がすことができるので、成果物の品質低下を招くこともない。また、付箋紙束駆動機構２０を有しているため、付箋紙５２を記録紙Ｐに貼り付ける際に付箋紙束ボックス１３を記録紙Ｐの幅方向に適宜移動させることができるので、各付箋紙５２同士が互いに重なり合うことがない。従って、ユーザは全ての付箋紙５２にプリントされたパーソナルコンピュータＸ，Ｙ又はＺの識別記号を一目で視認することができ、記録紙Ｐの分別を一層迅速かつ容易に行うことができる。
【００２２】
なお、本発明は上記実施形態の構成に限られることなく種々の変形が可能である。例えば、付箋紙５２を貼り付ける位置は、記録紙Ｐの先端又は後端に限られることなく、付箋紙束ボックス１３の向きを略９０゜だけ変更することにより、記録紙Ｐのいずれかの側端に貼り付けるようにしてもよい。この場合においては、付箋紙貼り付け部材２１が移動するタイミングを変更することにより、記録紙Ｐの高さ方向における付箋紙５２の貼り付け位置を任意に変更することができ、各付箋紙５２同士の重なり合いを防止することができる。また、本発明は、レーザ方式のプリンタに限られることなく、いわゆるインクジェット方式等の他のプリンタに広く適用することも可能である。また、本発明は、ネットワーク接続に対応するプリンタに限られることなく、ＵＳＢケーブルやパラレルケーブルを介して複数のパーソナルコンピュータと接続可能なプリンタにも適用可能である。また、付箋紙５２には、パーソナルコンピュータの識別記号の替わりに、ユーザの名前をプリントするようにしても構わない。
【図面の簡単な説明】
【００２３】
【図１】本発明の一実施形態によるプリンタ及びそれにネットワーク接続されている複数のパーソナルコンピュータを示す斜視図。
【図２】同プリンタの構成を示す図。
【図３】同プリンタの付箋紙束ボックスとその周辺の構成を示す斜視図。
【図４】同プリンタによって、付箋紙を記録紙に貼り付けて、その付箋紙を付箋紙束から分離する動作を示す図。
【符号の説明】
【００２４】
１    プリンタ
２    感光体ドラム（画像形成手段）
１１    記録紙搬送機構（搬送手段）
１２    記録紙センサ（記録紙検出手段）
１３    付箋紙束ボックス（付箋紙束収容手段）
１４    ＣＰＵ（制御手段）
２０    付箋紙束駆動機構
２１    付箋紙貼り付け部材（付箋紙貼り付け手段）
２２    付箋紙分離部材（付箋紙分離手段）
【図１】
2006021449.tif 000003
【図２】
2006021449.tif 000004
【図３】
2006021449.tif 000005
【図４】
2006021449.tif 000006